(57)【要約】【課題】利用状況の把握を容易化したポータルシステムを得る。【解決手段】クライアント端末１と、各端末２、３とが、ネットワーク４を介して相互に接続される。クライアント端末１とポータルサーバ端末２との間には、入力されたユーザＩＤやパスワード等のログイン情報をログイン指示手段１３が送信し、表示指示手段１４が入力されたポータルページ識別子を送信して取得したポータルページを表示し、送受信手段１５がネットワークを介してデータを送受信する各機能を有し、ポータルページ表示時に、各ポータルページおよびコンテンツに対するユーザ毎の既読／未読表示機能を備えて構成される。本構成により、ポータルページ表示時に、各ポータルページおよびコンテンツに対するユーザ毎の既読／未読表示機能が構成され、各ポータルページや各コンテンツ毎にどのユーザからアクセスされたか否かを情報発信側で把握可能となる。【選択図】　　　　図１
2004038396.tif 000002
【特許請求の範囲】
【請求項１】
コンピュータからなるクライアント端末と、ポータルサーバ端末と、コンテンツサーバ端末とが、所定のネットワークを介して相互に接続され、
前記クライアント端末は、ログイン指示手段と、表示指示手段と、送受信手段とを備え、
前記ログイン指示手段は、入力されたユーザＩＤやパスワード等のログイン情報を前記ポータルサーバ端末へ送信する機能等を有し、
前記表示指示手段は、入力されたポータルページ識別子を前記ポータルサーバ端末へ送信する機能、該ポータルサーバ端末から取得したポータルページを表示するポータルページ表示機能を有し、
前記送受信手段は、前記ネットワークを介して前記ポータルサーバ端末とデータを送受信する機能を有し、
前記ポータルページ表示時に、各ポータルページおよびコンテンツに対するユーザ毎の既読／未読表示機能を備えて構成されたことを特徴とするポータルシステム。
【請求項２】
前記表示指示手段は、前記ポータルページ表示時に、各ポータルページおよびコンテンツに対するユーザ毎の新着表示機能を、さらに備えたことを特徴とする請求項１記載のポータルシステム。
【請求項３】
前記各ポータルページおよびコンテンツに対してどのユーザからアクセスされたか否かを、情報発信側で把握可能としたことを特徴とする請求項２記載のポータルシステム。
【請求項４】
前記クライアント端末には、キーボード等の入力装置と、ディスプレイ等の表示装置とが接続され構成されていることを特徴とする請求項１から３のいずれか１項に記載のポータルシステム。
【請求項５】
前記ポータルサーバ端末は、送受信手段と、ログイン情報操作手段と、ポータルページ作成手段と、アクセス履歴操作手段と、既読／未読判定手段とを備え、また、該ポータルサーバ端末には、ログイン情報記憶部と、ポータルページ定義記憶部と、アクセス履歴記憶部とが接続されて構成されていることを特徴とする請求項１から４のいずれか１項に記載のポータルシステム。
【請求項６】
前記送受信手段は、ＨＴＴＰプロトコルに従って、前記ネットワークを介して前記クライアント端末、および前記コンテンツサーバとデータを送受信する機能を有し、
前記ログイン情報操作手段は、前記クライアント端末から受信したユーザＩＤやパスワードといったログイン情報を前記ログイン情報記憶部中のデータと照合する機能等を有することを特徴とする請求項５記載のポータルシステム。
【請求項７】
前記既読／未読判定手段は、前記ポータルページ作成手段から取得したポータルページ定義の最終更新日時とアクセス履歴操作手段から取得した前回アクセス時点のポータルページ定義の最終更新日時とを比較してポータルページの未読／既読を判定する機能、及びコンテンツサーバ端末から取得したコンテンツの最終更新日時とアクセス履歴操作手段から取得した前回アクセス時点のコンテンツの最終更新日時とを比較してコンテンツの未読／既読を判定する機能等を有することを特徴とする請求項５または６記載のポータルシステム。
【発明の詳細な説明】
【０００１】
【発明の属する技術分野】
本発明は、ポータルシステムに関し、特に、アクセス履歴を利用したポータルシステムに関する。より詳細には、本発明は、ポータルシステムでユーザのアクセス履歴を管理することにより付加機能を実現するポータルシステムに関するものである。
【０００２】
【従来の技術】
従来、ポータルシステムの特徴として、ログイン機構を持ち、ユーザがあらかじめ設定（パーソナライズ）した情報に従って、各コンテンツを整形／合成してポータルページを作成する機能があげられる。
【０００３】
このポータルページは、一般に、ユーザ単位で複数設定することができる。また、各ユーザが所属する組織／グループ毎にも設定することが可能である。組織で用意されているコンテンツや上記組織毎のポータルページは、組織内の情報共有の手段として利用されている。
【０００４】
本発明と技術分野の類似する先願発明例１として、特開２０００−１２３０３０号公報の「情報提示方法及び装置、情報提示システム、記録媒体」がある。本先願発明例１では、更新された提示対象データを利用者毎に対応した提示形態で提示可能となる情報提示装置を提供することを課題としている。
【０００５】
また先願発明例２としての特開２００２−８２７４６号公報の「情報表示システム」では、端末側で表示されるポータルサイトの画面レイアウトを利用者が任意に変更できるシステムを提供することを課題としている。
【０００６】
【発明が解決しようとする課題】
しかしながら、上記の従来技術では、ただ情報共有を行うときに、各ユーザ毎の既読／未読機能や新着機能を実現しようとすると、各コンテンツ毎にそれぞれ実装する必要がある。これは、コンテンツを保持しているサーバが複数台になるようなときには、非常に手間のかかる作業である。また、情報発信側でポータルページやコンテンツとして提供している通知が全てのユーザに閲覧されているのか、どれくらい閲覧されているのか、状況の把握が困難である問題点を伴う。
【０００７】
本発明は、利用状況の把握を容易化したポータルシステムを提供することを目的とする。
【０００８】
【課題を解決するための手段】
かかる目的を達成するため、本発明のポータルシステムは、コンピュータからなるクライアント端末と、ポータルサーバ端末と、コンテンツサーバ端末とが、所定のネットワークを介して相互に接続され、クライアント端末は、ログイン指示手段と、表示指示手段と、送受信手段とを備え、ログイン指示手段は、入力されたユーザＩＤやパスワード等のログイン情報をポータルサーバ端末へ送信する機能等を有し、表示指示手段は、入力されたポータルページ識別子をポータルサーバ端末へ送信する機能、該ポータルサーバ端末から取得したポータルページを表示するポータルページ表示機能を有し、送受信手段は、ネットワークを介してポータルサーバ端末とデータを送受信する機能を有し、ポータルページ表示時に、各ポータルページおよびコンテンツに対するユーザ毎の既読／未読表示機能を備えて構成されたことを特徴としている。
【０００９】
また、上記の表示指示手段は、ポータルページ表示時に、各ポータルページおよびコンテンツに対するユーザ毎の新着表示機能をさらに備え、各ポータルページおよびコンテンツに対してどのユーザからアクセスされたか否かを、情報発信側で把握可能とし、クライアント端末には、キーボード等の入力装置と、ディスプレイ等の表示装置とが接続され構成されるとよい。
【００１０】
さらに、上記のポータルサーバ端末は、送受信手段と、ログイン情報操作手段と、ポータルページ作成手段と、アクセス履歴操作手段と、既読／未読判定手段とを備え、また、該ポータルサーバ端末には、ログイン情報記憶部と、ポータルページ定義記憶部と、アクセス履歴記憶部とが接続されて構成され、送受信手段は、ＨＴＴＰプロトコルに従って、ネットワークを介してクライアント端末、およびコンテンツサーバとデータを送受信する機能を有し、ログイン情報操作手段は、クライアント端末から受信したユーザＩＤやパスワードといったログイン情報をログイン情報記憶部中のデータと照合する機能等を有するとよい。
【００１１】
なお、上記の既読／未読判定手段は、ポータルページ作成手段から取得したポータルページ定義の最終更新日時とアクセス履歴操作手段から取得した前回アクセス時点のポータルページ定義の最終更新日時とを比較してポータルページの未読／既読を判定する機能、及びコンテンツサーバ端末から取得したコンテンツの最終更新日時とアクセス履歴操作手段から取得した前回アクセス時点のコンテンツの最終更新日時とを比較してコンテンツの未読／既読を判定する機能等を有するとよい。
【００１２】
【発明の実施の形態】
次に、添付図面を参照して本発明によるポータルシステムの実施の形態を詳細に説明する。図１から図４を参照すると、本発明のポータルシステムの一実施形態が示されている。
【００１３】
図１は、ポータルシステムの第１の実施例の構成を示すブロック図である。また、図２は、第１の実施例の表示例である。
図１を参照すると、パーソナルコンピュータ等のコンピュータからなるクライアント端末１と、ワークステーション等のコンピュータからなるポータルサーバ端末２と、ワークステーション等のコンピュータからなるコンテンツサーバ端末３と、それぞれを相互に接続するインターネット等のネットワーク４とから構成されている。
【００１４】
クライアント端末１には、キーボード等の入力装置１１と、ディスプレイ等の表示装置１２とが接続されている。また、クライアント端末１は、ログイン指示手段１３と、表示指示手段１４と、送受信手段１５とを備えている。
【００１５】
送受信手段１５は、ＨＴＴＰプロトコルに従って、ネットワーク４を介してポータルサーバ端末２とデータを送受信する機能を有する。
ログイン指示手段１３は、入力装置１１から入力されたユーザＩＤやパスワードといったログイン情報をポータルサーバ端末２へ送信する機能等を有する。
表示指示手段１４は、入力装置１１から入力されたポータルページ識別子をポータルサーバ端末２へ送信する機能や、ポータルサーバ端末２から取得したポータルページを表示装置１２に表示する機能等を有する。
【００１６】
ポータルサーバ端末２は、送受信手段２１と、ログイン情報操作手段２２と、ポータルページ作成手段２４と、アクセス履歴操作手段２６と、既読／未読判定手段２８とを備えている。また、ポータルサーバ端末２には、ログイン情報記憶部２３と、ポータルページ定義記憶部２５と、アクセス履歴記憶部２７とが接続されている。
【００１７】
送受信手段２１は、ＷＷＷサーバとＷＷＷブラウザの間で情報を交換するための通信プロトコルであるＨＴＴＰ（ＨｙｐｅｒＴｅｘｔ　Ｔｒａｎｓｆｅｒ　Ｐｒｏｔｏｃｏｌ　）プロトコルに従って、ネットワーク４を介してクライアント端末１、およびコンテンツサーバ端末３とデータを送受信する機能を有する。
ログイン情報操作手段２２は、クライアント端末１から受信したユーザＩＤやパスワードといったログイン情報をログイン情報記憶部２３中のデータと照合する機能等を有する。
【００１８】
ポータルページ作成手段２４は、クライアント端末１から受信したポータルページ識別子を基にポータルページ定義をポータルページ定義記憶部２５から取得する機能、取得したポータルページ定義の最終更新日時を抽出する機能、取得したポータルページ定義中からコンテンツ識別子を抽出する機能、抽出したコンテンツ識別子をコンテンツサーバ端末３へ送信する機能、ポータル定義とコンテンツサーバ端末３から取得したコンテンツからポータルページを作成する機能、及び作成したポータルページをクライアント端末１へ送信する機能等を有する。
【００１９】
アクセス履歴操作手段２６は、ユーザＩＤとポータルページ識別子とポータルページ定義の最終更新日時の組をアクセス履歴記憶部２７へ格納する機能、ユーザＩＤとポータルページ識別子を指定して前回アクセスしたポータルページ定義の最終更新日時を取得する機能、ユーザＩＤとコンテンツ識別子とコンテンツの最終更新日時の組を格納する機能、及びユーザＩＤとコンテンツ識別子を指定して前回アクセスしたコンテンツの最終更新日時を取得する機能等を有する。
【００２０】
既読／未読判定手段２８は、ポータルページ作成手段２４から取得したポータルページ定義の最終更新日時とアクセス履歴操作手段２６から取得した前回アクセス時点のポータルページ定義の最終更新日時とを比較してポータルページの未読／既読を判定する機能、及びコンテンツサーバ端末３から取得したコンテンツの最終更新日時とアクセス履歴操作手段２６から取得した前回アクセス時点のコンテンツの最終更新日時とを比較してコンテンツの未読／既読を判定する機能等を有する。
【００２１】
コンテンツサーバ端末３には、コンテンツ記憶部３１が接続されている。また、コンテンツサーバ端末３は、コンテンツ操作手段３２と、送受信手段３３とを備えている。
【００２２】
コンテンツ操作手段３２は、ポータルサーバ端末２から受信したコンテンツ識別子を基にコンテンツをコンテンツ記憶部３１から取得する機能、取得したコンテンツの最終更新日時を抽出する機能、取得したコンテンツをポータルサーバ端末２へ送信する機能、及び取得したコンテンツの最終更新日時をポータルサーバ端末２へ送信する機能等を有する。
送受信手段３３は、ＨＴＴＰプロトコルに従って、ネットワーク４を介してポータルサーバ端末２とデータを送受信する機能を有する。
【００２３】
例えば、クライアント端末１から送信されたユーザＩＤとポータルページ識別子に対応するポータルページ定義の最終更新日時と前回アクセス時点のポータルページ定義の最終更新日時（年／月／日＿時：分：秒）とが、’０００２／０３／２９　０８：３０：００’と’２００２／０３／２８　１５：００：００’というように異っていたときには、ポータルページ作成時点で、＜ｉｍｇ　ｓｒｃ＝　”ｕｐｄａｔｅ．ｇｉｆ”ａｌｔ＝”Ｕｐｄａｔｅｄ！”＆ｇｔ　＞　、というような記述を加えることにより、ユーザにポータルページが新しくなっていることを通知することができる。
【００２４】
（他の実施例）
図３は、第２の実施例の構成を示すブロック図である。また、図４は、第２の実施例の表示例である。
図３を参照すると、パーソナルコンピュータ等のコンピュータからなるクライアント端末１と、ワークステーション等のコンピュータからなるポータルサーバ端末２と、ワークステーション等のコンピュータからなるコンテンツサーバ端末３と、それぞれを相互に接続するインターネット等のネットワーク４とから構成されている。
【００２５】
クライアント端末１には、キーボード等の入力装置１１と、ディスプレイ等の表示装置１２とが接続されている。また、クライアント端末１は、ログイン指示手段１３と、表示指示手段１４と、送受信手段１５とを備えている。
送受信手段１５は、ＨＴＴＰプロトコルに従って、ネットワーク４を介してポータルサーバ端末２とデータを送受信する機能を有する。
【００２６】
ログイン指示手段１３は、入力装置１１から入力されたユーザＩＤやパスワードといったログイン情報をポータルサーバ端末２へ送信する機能等を有する。
表示指示手段１４は、入力装置１１から入力されたポータルページ識別子をポータルサーバ端末２へ送信する機能や、ポータルサーバ端末２から取得したポータルページを表示装置１２に表示する機能等を有する。
【００２７】
ポータルサーバ端末２は、送受信手段２１と、ログイン情報操作手段２２と、ポータルページ作成手段２４と、アクセス履歴操作手段２６と、未読ユーザ表示手段３４とを備えている。
また、ポータルサーバ端末２には、ログイン情報記憶部２３と、ポータルページ定義記憶部２５と、アクセス履歴記憶部２７と、入力装置２９と表示装置３０とが接続されている。
【００２８】
送受信手段２１は、ＨＴＴＰプロトコルに従って、ネットワーク４を介してクライアント端末１、およびコンテンツサーバ端末３とデータを送受信する機能を有する。
ログイン情報操作手段２２は、クライアント端末１から受信したユーザＩＤやパスワードといったログイン情報をログイン情報記憶部２３中のデータと照合する機能等を有する。
【００２９】
ポータルページ作成手段２４は、クライアント端末１から受信したポータルページ識別子を基にポータルページ定義をポータルページ定義記憶部２５から取得する機能や、取得したポータルページ定義の最終更新日時を抽出する機能や、取得したポータルページ定義中からコンテンツ識別子を抽出する機能や、抽出したコンテンツ識別子をコンテンツサーバ端末３へ送信する機能や、ポータル定義とコンテンツサーバ端末３から取得したコンテンツからポータルページを作成する機能や、作成したポータルページをクライアント端末１へ送信する機能等を有する。
【００３０】
アクセス履歴操作手段２６は、ユーザＩＤとポータルページ識別子とポータルページ定義の最終更新日時の組をアクセス履歴記憶部２７へ格納する機能や、ユーザＩＤとポータルページ識別子を指定して前回アクセスしたポータルページ定義の最終更新日時を取得する機能や、ユーザＩＤとコンテンツ識別子とコンテンツの最終更新日時の組を格納する機能や、ユーザＩＤとコンテンツ識別子を指定して前回アクセスしたコンテンツの最終更新日時を取得する機能等を有する。
【００３１】
未読ユーザ表示手段３４は、入力装置２９から入力されたポータルページ識別子やコンテンツ識別子にアクセスしたユーザ情報一覧を抽出する機能や、抽出したユーザ情報一覧を表示装置３０に表示する機能等を有する。
【００３２】
コンテンツサーバ端末３には、コンテンツ記憶部３１が接続されている。また、このコンテンツサーバ端末３は、コンテンツ操作手段３２と、送受信手段３３とを備えている。
【００３３】
コンテンツ操作手段３２は、ポータルサーバ端末２から受信したコンテンツ識別子を基にコンテンツをコンテンツ記憶部３１から取得する機能や、取得したコンテンツの最終更新日時を抽出する機能や、取得したコンテンツをポータルサーバ端末２へ送信する機能や、取得したコンテンツの最終更新日時をポータルサーバ端末２へ送信する機能等を有する。
【００３４】
送受信手段３３は、ＨＴＴＰプロトコルに従って、ネットワーク４を介してポータルサーバ端末２とデータを送受信する機能を有する。
例えば、重要なお知らせを含むコンテンツのコンテンツ識別子を、入力装置２９から指定してユーザ一覧を表示装置３０に表示させることで、情報が伝わっていない人数がどの程度かということを情報発信側が把握することができる。
【００３５】
（実施例の効果）
第一の効果は、各ポータルページや各コンテンツ毎にユーザ単位の既読／未読表示機能が実現されることである。
その理由は、各ポータルページ／コンテンツに対して各ユーザがアクセスしたか否かをポータルシステムで保持しているためである。
【００３６】
第二の効果は、各ポータルページや各コンテンツ毎にユーザ単位の新着通知機能が実現されることである。
その理由は、各ユーザが前回各ポータルページ定義／コンテンツに対してアクセスしたときの最終更新日時をポータルシステムで保持しているためである。
【００３７】
第三の効果は、各ポータルページや各コンテンツ毎にどのユーザからアクセスされたか、もしくはアクセスされなかったかを情報発信側で把握できることである。
その理由は、各ポータルページ／コンテンツに対して各ユーザがアクセスしたか否かをポータルシステムで保持しているためである。
【００３８】
なお、上述の実施形態は本発明の好適な実施の一例である。ただし、これに限定されるものではなく、本発明の要旨を逸脱しない範囲内において種々変形実施が可能である。
【００３９】
【発明の効果】
以上の説明より明らかなように、本発明のポータルシステムは、入力されたユーザＩＤやパスワード等のログイン情報をポータルサーバ端末へ送信する機能、入力されたポータルページ識別子をポータルサーバ端末へ送信する機能、該ポータルサーバ端末から取得したポータルページを表示するポータルページ表示機能、ネットワークを介してポータルサーバ端末とデータを送受信する機能等を有して構成されている。本構成により、ポータルページ表示時に、各ポータルページおよびコンテンツに対するユーザ毎の既読／未読表示機能が構成され、各ポータルページや各コンテンツ毎にどのユーザからアクセスされたか、もしくはアクセスされなかったかを情報発信側で把握可能となる。
【図面の簡単な説明】
【図１】本発明のポータルシステムの第１の実施例の構成を示すブロック図である。
【図２】本発明の第１の実施例の表示例である。
【図３】本発明の第２の実施例の構成を示すブロック図である。
【図４】本発明の第２の実施例の表示例である。
【符号の説明】
１　クライアント端末
２　ポータルサーバ端末
３　コンテンツサーバ端末
４　ネットワーク
１１　キーボード等の入力装置
１２　表示装置
１３　ログイン指示手段
１４　表示指示手段
１５　送受信手段
２１　送受信手段
２２　ログイン情報操作手段
２３　ログイン情報記憶部
２４　ポータルページ作成手段
２５　ポータルページ定義記憶部
２６　アクセス履歴操作手段
２７　アクセス履歴記憶部
２８　既読／未読判定手段
２９　入力装置
３０　表示装置
３１　コンテンツ記憶部
３２　コンテンツ操作手段
３３　送受信手段
３４　未読ユーザ表示手段
【図１】
2004038396.tif 000003
【図２】
2004038396.tif 000004
【図３】
2004038396.tif 000005
【図４】
2004038396.tif 000006